(57)【要約】【課題】動画タイトルと非動画ファイルとの再生切り替えに関する使い勝手の良い記録媒体再生装置を提供する。【解決手段】着脱自在に装着される記録媒体に記録されている情報を再生する記録媒体再生装置であって、前記記録媒体が前記記録媒体再生装置に挿入されると、前記記録媒体が動画タイトルと非動画ファイルの双方を記録している記録媒体であるか否かを判定部（ステップＳ１０の処理実行部）と、前記判定部によって前記記録媒体が動画タイトルと非動画ファイルの双方を記録している記録媒体であると判定された場合に、前記動画タイトルのローディング及び前記非動画ファイルのローディングを行うローディング処理部（ステップＳ２０及びＳ３０の処理実行部）と、そのローディングによって得られた情報を記憶するメモリとを備える記録媒体再生装置。【選択図】図２
2011159344.tif 000002
【特許請求の範囲】
【請求項１】
着脱自在に装着される記録媒体に記録されている情報を再生する記録媒体再生装置であって、
前記記録媒体が前記記録媒体再生装置に挿入されると、前記記録媒体が動画タイトルと非動画ファイルの双方を記録している記録媒体であるか否かを判定部と、
前記判定部によって前記記録媒体が動画タイトルと非動画ファイルの双方を記録している記録媒体であると判定された場合に、前記動画タイトルのローディング及び前記非動画ファイルのローディングを行うローディング処理部と、
前記ローディング処理部でのローディングによって前記記録媒体から読み出された情報を記憶するメモリとを備えることを特徴とする記録媒体再生装置。
【請求項２】
前記動画タイトルの再生中に所定の操作がされると、前記メモリに記憶された前記非動画ファイルのローディングによって前記記録媒体から読み出された情報に基づく表示用信号を生成して表示手段に出力する手段を備える請求項１に記載の記録媒体再生装置。
【請求項３】
前記メモリに記憶された前記非動画ファイルのローディングによって前記記録媒体から読み出された情報に基づく表示用信号が前記表示手段に出力されている状態で、再生を所望する非動画ファイルの選択操作がされると、前記動画タイトルの再生から前記非動画ファイルの再生に切り替わる請求項２に記載の記録媒体再生装置。
【請求項４】
前記非動画ファイルの再生中に所定の操作がされると、前記メモリに記憶された前記動画タイトルのローディングによって前記記録媒体から読み出された情報に基づく表示用信号を生成して表示手段に出力する手段を備える請求項１〜３のいずれか１項に記載の記録媒体再生装置。
【請求項５】
前記メモリに記憶された前記動画タイトルのローディングによって前記記録媒体から読み出された情報に基づく表示用信号が前記表示手段に出力されている状態で、再生を所望する動画タイトルの選択操作がされると、前記非動画ファイルの再生から前記動画タイトルの再生に切り替わる請求項４に記載の記録媒体再生装置。
【発明の詳細な説明】
【技術分野】
【０００１】
本発明は、着脱自在に装着される記録媒体に記録されている情報を再生する記録媒体再生装置に関する。
【背景技術】
【０００２】
近年、デジタルビデオカメラには動画だけでなく静止画も同時に撮影することができる機能を搭載したものがあり、そのようなデジタルビデオカメラによって情報が記録された記録媒体には動画タイトルと静止画ファイルとが混在している。ここで、タイトルとは、一連の関連付けられた内容を有するデータのことであり、例えば、１回の録画によって得られた動画データなどが該当する。
【０００３】
従来の記録媒体再生装置では、動画タイトルと静止画ファイルとを記録している記録媒体の再生において、動画タイトルの再生から静止画ファイルの再生に切り替える場合、又は、静止画ファイルの再生から動画タイトルの再生に切り替える場合、ユーザ操作によって、一旦、動画タイトルを再生する選択肢と静止画ファイルを再生する選択肢とを一覧表示するメニュー画面に戻ってから切り替えが指示され、その指示に従って切り替え後の再生に必要な情報（静止画ファイルの再生に切り替える場合は静止画ファイル情報、動画タイトルの再生に切り替える場合は動画タイトル情報）を読み込むようにしていた。
【先行技術文献】
【特許文献】
【０００４】
【特許文献１】特開平９−２４７５９５号公報
【特許文献２】特開２０００−２０１３１８号公報
【発明の概要】
【発明が解決しようとする課題】
【０００５】
上記の通り、従来の記録媒体再生装置では、動画タイトルと静止画ファイルとを記録している記録媒体の再生において、動画タイトルの再生から静止画ファイルの再生に切り替える場合、又は、静止画ファイルの再生から動画タイトルの再生に切り替える場合、一旦、動画タイトルを再生する選択肢と静止画ファイルを再生する選択肢とを一覧表示するメニュー画面に戻る必要があるため、ユーザにとって煩わしいという問題があった。
【０００６】
なお、特許文献１では、動画と静止画とが混在して記録されているディスクから、所望の画像を容易に検索し、そして再生することが可能な画像再生装置が提案されている。しかしながら、特許文献１で提案されている画像再生装置は、映像記録ディスクが挿入された際に静止画をマルチ分割表示するものであって、動画タイトルと静止画ファイルとの再生切り替えに関する使い勝手を向上させるものではなく、上記の問題を解決することはできない。
【０００７】
また、特許文献２では、混在記録された動画像と静止画像のうち所望のものを再生でき、再生順序を任意に設定でき、任意の再生順序で連続自動再生でき、再生に途切れが生じない記録再生方法及び記録再生装置が提案されている。しかしながら、特許文献２で提案されている記録再生方法及び記録再生装置では、任意の再生順序での連続自動再生を実現するものであって、動画タイトルと静止画ファイルとの再生切り替えに関する使い勝手を向上させるものではなく、上記の問題を解決することはできない。
【０００８】
また、上記の問題は動画タイトルと静止画ファイルとの再生切り替えに関することであるが、動画タイトルと静止画ファイル以外の非動画ファイル（例えば音楽ファイル）との再生切り替えに関しても同様の問題が起こっている。
【０００９】
本発明は、上記の状況に鑑み、動画タイトルと非動画ファイルとの再生切り替えに関する使い勝手の良い記録媒体再生装置を提供することを目的とする。
【課題を解決するための手段】
【００１０】
上記目的を達成するために本発明に係る記録媒体再生装置においては、着脱自在に装着される記録媒体に記録されている情報を再生する記録媒体再生装置であって、前記記録媒体が前記記録媒体再生装置に挿入されると、前記記録媒体が動画タイトルと非動画ファイルの双方を記録している記録媒体であるか否かを判定部と、前記判定部によって前記記録媒体が動画タイトルと非動画ファイルの双方を記録している記録媒体であると判定された場合に、前記動画タイトルのローディング及び前記非動画ファイルのローディングを行うローディング処理部と、前記ローディング処理部でのローディングによって前記記録媒体から読み出された情報を記憶するメモリとを備える構成とする。
【００１１】
また、前記動画タイトルの再生中に所定の操作がされると、前記メモリに記憶された前記非動画ファイルのローディングによって前記記録媒体から読み出された情報に基づく表示用信号を生成して表示手段に出力する手段を備えることが望ましい。さらに、前記メモリに記憶された前記非動画ファイルのローディングによって前記記録媒体から読み出された情報に基づく表示用信号が前記表示手段に出力されている状態で、再生を所望する非動画ファイルの選択操作がされると、前記動画タイトルの再生から前記非動画ファイルの再生に切り替わることが望ましい。
【００１２】
また、前記非動画ファイルの再生中に所定の操作がされると、前記メモリに記憶された前記動画タイトルのローディングによって前記記録媒体から読み出された情報に基づく表示用信号を生成して表示手段に出力する手段を備えることが望ましい。さらに、前記メモリに記憶された前記動画タイトルのローディングによって前記記録媒体から読み出された情報に基づく表示用信号が前記表示手段に出力されている状態で、再生を所望する動画タイトルの選択操作がされると、前記非動画ファイルの再生から前記動画タイトルの再生に切り替わることが望ましい。
【発明の効果】
【００１３】
本発明によると、記録媒体再生装置に挿入された記録媒体が動画タイトルと非動画ファイルの双方を記録している記録媒体であれば、記録媒体が記録媒体再生装置に挿入された際に、動画タイトルのローディング及び非動画ファイルのローディングが行われる。これにより、動画タイトルの再生から非動画ファイルの再生に切り替える場合、一旦、動画タイトルを再生する選択肢と非動画ファイルを再生する選択肢とを一覧表示するメニュー画面に戻り、非動画ファイルを再生する選択肢の選択確定に伴って非動画ファイルのローディングを実行する必要がなくなり、また、非動画ファイルの再生から動画タイトルの再生に切り替える場合、一旦、動画タイトルを再生する選択肢と非動画ファイルを再生する選択肢とを一覧表示するメニュー画面に戻り、動画タイトルを再生する選択肢の選択確定に伴って動画タイトルのローディングを実行する必要がなくなる。したがって、動画タイトルと非動画ファイルとの再生切り替えに関する使い勝手が良くなる。
【図面の簡単な説明】
【００１４】
【図１】本発明の一実施形態に係るＢＤ再生装置の概略構成例を示す図である。
【図２】図１に示す本発明の一実施形態に係るＢＤ再生装置のローディング動作を示すフローチャートである。
【図３】ＢＤＭＶ（動画タイトル）の再生が開始された場合の図１に示す本発明の一実施形態に係るＢＤ再生装置の動作を示すフローチャートである。
【図４】ファイルリストの表示例を示す図である。
【図５】ＪＰＥＧデータ（静止画ファイル）の再生が開始された場合の図１に示す本発明の一実施形態に係るＢＤ再生装置の動作を示すフローチャートである。
【図６】タイトル情報の表示例を示す図である。
【図７】ＢＤＭＶタイトルのリスト表示例を示す図である。
【図８】ＢＤＭＶタイトル及びＪＰＥＧデータのタイムテーブルのリスト表示例を示す図である。
【発明を実施するための形態】
【００１５】
本発明の実施形態について図面を参照して以下に説明する。ここでは、本発明に係る記録媒体再生装置としてＢＤ（ブルーレイディスク）再生装置を例に挙げて説明を行う。
【００１６】
本発明の一実施形態に係るＢＤ再生装置の概略構成例を図１に示す。図１に示す本発明の一実施形態に係るＢＤ再生装置は、ＢＤ１を再生する装置であって、光ピックアップ２と、ＲＦアンプ３と、ＤＳＰ（Digital Signal Processor）４と、再生処理回路５と、出力回路６と、ＣＰＵ（Central Processing Unit）７と、フラッシュメモリ８と、表示部９と、操作部１０と、ドライバ１１と、送りモータ１２と、スピンドルモータ１３とを備えている。操作部１０は、リモコン送信機（不図示）から送信されるリモコン信号を受信するリモコン受信部を含んでいる。
【００１７】
光ピックアップ２は、ＢＤ１に光ビームを照射して、ＢＤ１に記録された音声情報、映像情報等の各種情報の読み取りを行う。
【００１８】
光ピックアップ２により得られた音声情報及び映像情報は、ＲＦアンプ３、ＤＳＰ４、再生処理回路５、及び出力回路６の信号処理により音声及び映像に変換され、それぞれ図１に示す本発明の一実施形態に係るＢＤ再生装置に接続されるテレビ受像機のスピーカ及びモニタ（不図示）から出力される。ＲＦアンプ３は、光ピックアップ２からの音声信号や映像信号等を増幅する。ＤＳＰ４及び再生処理回路５は、ＲＦアンプ３から出力された信号に対して、再生のための各種情報処理（例えば映像処理等）を施す。
【００１９】
出力回路６は、ＯＳＤ（On Screen Display）部（不図示）を有している。ＯＳＤ部は、再生処理回路５からから受け取った映像信号と、ＣＰＵ７からの指示に基づいて生成したＯＳＤ画像データとを合成したり、上記合成処理を行わず再生処理回路５から受け取った映像信号をそのまま出力したり、上記合成処理を行わずＣＰＵ７からの指示に基づいて生成したＯＳＤ画像データをそのまま出力したりする。
【００２０】
出力回路６は、再生処理回路５から受け取った音声信号及びＯＳＤ部の出力信号を、それぞれ図１に示す本発明の一実施形態に係るＢＤ再生装置に接続されるテレビ受像機のスピーカ及びモニタ（不図示）に出力するためにＤ／Ａ変換処理等を行う。
【００２１】
ＣＰＵ７及びドライバ１１は、光ピックアップ２の動作と送りモータ１２及びスピンドルモータ１３からなる駆動部の動作を制御する。ＣＰＵ７は、操作部１０からの情報を受け付けてＤＳＰ４に伝送するとともに、ＤＳＰ４からの情報を表示部９に伝送する。また、ドライバ１１は、ＤＳＰ４からの指示に基づいて、光ピックアップ２の動作と上記駆動部の動作を制御する。
【００２２】
送りモータ１２は、ＤＳＰ４の指示に基づいて動作するドライバ１１によって駆動される。送りモータ１２の駆動によって光ピックアップ２はＢＤ１の径方向及び厚み方向に移動する。スピンドルモータ１３は、ＤＳＰ４の指示に基づいて動作するドライバ１１によって駆動される。スピンドルモータ１３の駆動によってＢＤ１が回転する。
【００２３】
さらに、ドライバ１１は、ＤＰＳ４の指示に基づいて光ピックアップ２内の対物レンズ（不図示）のフォーカス制御も行う。
【００２４】
次に、図１に示す本発明の一実施形態に係るＢＤ再生装置にＢＤ１が挿入されたときに開始されるローディング動作について図２のフローチャートを参照して説明する。
【００２５】
図１に示す本発明に係るＢＤ再生装置にＢＤ１が挿入されると、ＣＰＵ７の指示に基づいてＢＤ１のフォルダ構造がＢＤ１から読み出され、ＣＰＵ７は、読み出されたＢＤ１のフォルダ構造を解析して、ＢＤ１が動画タイトルと静止画ファイルの双方を記録しているディスク（混在ディスク）であるか否かを判定する（ステップＳ１０）。
【００２６】
ＢＤ１が混在ディスクでなければ（ステップＳ１０のＮＯ）、通常のローディング処理が実行され（ステップＳ４０）、その実行が完了するとローディング処理が終了する。通常のローディング処理においては、ＢＤ１が動画タイトルのみを記録しているディスクであれば、ＢＤＭＶ（Blu-ray Disk Movie）のローディングを行い、ＢＤＭＶのタイトル情報を読み出し、その読み出したＢＤＭＶのタイトル情報をリスト化し、フラッシュメモリ８に記憶しておき、ＢＤ１が静止画ファイルのみを記録しているディスクであれば、ＪＰＥＧ（Joint Photographic Experts Group）データのローディングを行い、ＪＰＥＧファイルリストを読み出し、その読み出したＪＰＥＧファイルリストをフラッシュメモリ８に記憶しておく。
【００２７】
一方、ＢＤ１が混在ディスクであれば（ステップＳ１０のＹＥＳ）、ＣＰＵ７の指示に基づいて、ＪＰＥＧデータのローディングが行われ、ＪＰＥＧファイルリストが読み出され、ＣＰＵ７は、その読み出されたＪＰＥＧファイルリストをフラッシュメモリ８に記憶し（ステップＳ２０）、さらに、ＣＰＵ７の指示に基づいて、ＢＤＭＶのローディングが行われ、ＢＤＭＶのタイトル情報が読み出され、ＣＰＵ７は、その読み出されたＢＤＭＶのタイトル情報をリスト化し、フラッシュメモリ８に記憶し（ステップＳ３０）、ローディング処理が終了する。
【００２８】
ステップＳ２０及びステップＳ３０の処理により、ＢＤ１が混在ディスクであれば、ＢＤ１の挿入時に、ＪＰＥＧデータとＢＤＭＶ双方のローディングが完了する。これにより、ＢＤＭＶ（動画タイトル）の再生からＪＰＥＧデータ（静止画ファイル）の再生に切り替える場合、一旦、動画タイトルを再生する選択肢と静止画ファイルを再生する選択肢とを一覧表示するメニュー画面に戻り、静止画ファイルを再生する選択肢の選択確定に伴ってＪＰＥＧデータのローディングを実行する必要がなくなり、また、ＪＰＥＧデータ（静止画ファイル）の再生からＢＤＭＶ（動画タイトル）の再生に切り替える場合、一旦、動画タイトルを再生する選択肢と静止画ファイルを再生する選択肢とを一覧表示するメニュー画面に戻り、動画タイトルを再生する選択肢の選択確定に伴ってＢＤＭＶのローディングを実行する必要がなくなる。
【００２９】
ローディング処理終了後、メニュー画面における選択確定あるいは自動再生により、再生が開始される。
【００３０】
ＢＤＭＶ（動画タイトル）の再生が開始された場合の図１に示す本発明の一実施形態に係るＢＤ再生装置の動作について図３のフローチャートを参照して説明する。
【００３１】
ＣＰＵ７は、ユーザによる操作部１０に対する所定の操作あるいはユーザによるリモコン送信機に対する所定の操作の有無に基づいて、ファイルリストの表示指示の有無を判定する（ステップＳ１１０）。
【００３２】
ユーザによる操作部１０に対する所定の操作あるいはユーザによるリモコン送信機に対する所定の操作が有り、ファイルリストの表示指示が有ると判定した場合（ステップＳ１１０のＹＥＳ）、ＣＰＵ７は、出力回路６のＯＳＤ部を制御して、ファイルリストを表示させるためのＯＳＤ画像データを出力回路６のＯＳＤ部に生成させる（ステップＳ１２０）。ステップＳ１２０の処理が実行されたときの、図１に示す本発明の一実施形態に係るＢＤ再生装置に接続されるテレビ受像機のモニタ画面例を図４に示す。図４のモニタ画面例では、ＢＤＭＶ（動画タイトル）の再生画像上にファイルリストが重畳されて表示されている。例えば、ユーザによってリモコン送信機の上下キーが押されると、図４中のハイライト表示の位置が移動する。
【００３３】
それから、ＣＰＵ７は、ファイルの選択が確定したか否かを判定する（ステップＳ１３０）。例えば、図４のモニタ画面例の状態において、ユーザによってリモコン送信機の決定キーが押された場合、「○○○○．ｊｐｇ」の選択が確定する。
【００３４】
ファイルの選択が確定すると（ステップＳ１３０のＹＥＳ）、ＣＰＵ７の指示に基づいて、選択ファイルのサーチが実行され（ステップＳ１４０）、サーチ終了後にＢＤＭＶ（動画タイトル）の再生が終了し、再生処理回路５等の設定をＪＰＥＧデコード用に変更してからＪＰＥＧデコードを開始する。これにより、一旦、動画タイトルを再生する選択肢と静止画ファイルを再生する選択肢とを一覧表示するメニュー画面に戻ることなく、ＢＤＭＶ（動画タイトル）の再生からＪＰＥＧデータ（静止画ファイル）の再生に切り替わる。
【００３５】
続いて、ＪＰＥＧデータ（静止画ファイル）の再生が開始された場合の図１に示す本発明の一実施形態に係るＢＤ再生装置の動作について図５のフローチャートを参照して説明する。
【００３６】
ＣＰＵ７は、ユーザによる操作部１０に対する所定の操作あるいはユーザによるリモコン送信機に対する所定の操作の有無に基づいて、タイトル情報の表示指示の有無を判定する（ステップＳ２１０）。
【００３７】
ユーザによる操作部１０に対する所定の操作あるいはユーザによるリモコン送信機に対する所定の操作が有り、タイトル情報の表示指示が有ると判定した場合（ステップＳ２１０のＹＥＳ）、ＣＰＵ７は、出力回路６のＯＳＤ部を制御して、タイトル情報を表示させるためのＯＳＤ画像データを出力回路６のＯＳＤ部に生成させる（ステップＳ２２０）。ステップＳ２２０の処理が実行されたときの、図１に示す本発明の一実施形態に係るＢＤ再生装置に接続されるテレビ受像機のモニタ画面例を図６に示す。図４のモニタ画面例では、ＪＰＥＧデータ（静止画ファイル）の再生画像の上部にタイトル情報が重畳されて表示されている。図６のモニタ画面例では、タイトル情報として、タイトルの個数「９８」が表示されている。
【００３８】
それから、ＣＰＵ７は、タイトルの選択が確定したか否かを判定する（ステップＳ２３０）。例えば、図６のモニタ画面例の状態において、ユーザによってリモコン送信機のテンキーで数字「２」が入力されてから決定キーが押された場合、「タイトル２」の選択が確定する。
【００３９】
タイトルの選択が確定すると（ステップＳ２３０のＹＥＳ）、ＣＰＵ７の指示に基づいて、選択タイトルのサーチが実行され（ステップＳ２４０）、サーチ終了後にＪＰＥＧデータ（静止画ファイル）の再生が終了し、再生処理回路５等の設定をＢＤＭＶ再生用に変更してからＢＤＭＶ再生を開始する。これにより、一旦、動画タイトルを再生する選択肢と静止画ファイルを再生する選択肢とを一覧表示するメニュー画面に戻ることなく、ＪＰＥＧデータ（静止画ファイル）の再生からＢＤＭＶ（動画タイトル）の再生に切り替わる。
【００４０】
以上、本発明に係る実施形態について説明したが、本発明の範囲はこれに限定されるものではなく、発明の主旨を逸脱しない範囲で種々の変更を加えて実行することができる。
【００４１】
例えば、図４のモニタ画面例の状態において、ユーザによる操作部１０に対する特定の操作あるいはユーザによるリモコン送信機に対する特定の操作が有ると、図７のモニタ画面例のようにＢＤＭＶタイトルをリスト表示するようにしてもよい。なお、図７のモニタ画面例において、或るタイトルの選択が確定すると、その選択タイトルの再生が開始され、ＪＰＥＧの選択が確定すると図４のモニタ画面例の状態に戻るようにするとよい。
【００４２】
また、例えば、ＢＤＭＶのローディングにおいてＢＤＭＶタイトルの記録日時情報が取得できる場合、図４のモニタ画面例の状態において、ユーザによる操作部１０に対する特定の操作あるいはユーザによるリモコン送信機に対する特定の操作が有ると、図８のモニタ画面例のようにＢＤＭＶタイトル及びＪＰＥＧデータのタイムテーブルをリスト表示するようにしてもよい。なお、図８のモニタ画面例において、或るタイトル又はファイルの選択が確定すると、その選択タイトル又は選択ファイルの再生が開始されるようにするとよい。
【００４３】
また、上述した実施形態ではＢＤ再生装置について説明したが、本発明に係る記録媒体再生装置に挿入される記録媒体はＢＤに限定されることはなく、例えばＤＶＤやＳＤカードであってもよい。ＤＶＤやＳＤカードの場合、動画タイトルのフォーマットとして、ＡＶＣＨＤ（Advanced Video Codec High Definition）やＡＶＣＲＥＣを用いることができる。
【００４４】
また、上述した実施形態では動画タイトルと静止画ファイルとの再生切り替えに関する使い勝手を向上させているが、静止画ファイルは非動画ファイルに拡張することができるので、動画タイトルと非動画ファイルとの再生切り替えに関する使い勝手を向上させることができる。
【００４５】
また、本発明に係る記録媒体再生装置は、再生専用機に限定されることはなく、再生機能以外に記録機能も搭載したいわゆる記録再生装置も本発明に係る記録媒体再生装置に含まれる。
【符号の説明】
【００４６】
１  ＢＤ
２  光ピックアップ
３  ＲＦアンプ
４  ＤＳＰ
５  再生処理回路
６  出力回路
７  ＣＰＵ
８  フラッシュメモリ
９  表示部
１０  操作部
１１  ドライバ
１２  送りモータ
１３  スピンドルモータ
【図１】
2011159344.tif 000003
【図２】
2011159344.tif 000004
【図３】
2011159344.tif 000005
【図４】
2011159344.tif 000006
【図５】
2011159344.tif 000007
【図６】
2011159344.tif 000008
【図７】
2011159344.tif 000009
【図８】
2011159344.tif 000010